(57)【要約】  受信したデータパケットに対する符号化率および変調次数に応じた適切な復調器の選択を助けるシステムおよび方法が説明される。様々な態様にしたがって、信号受信機の複雑さを高めず、最適な復号のスループットの性能を達成するように、最適な復調方式の選択を可能にするシステムおよび／または方法が説明される。【選択図】      図２
2009524378.tif 000002
【特許請求の範囲】
【請求項１】
復調器を選択する方法であって、
復調に使用されるパケットフォーマットを受信することと、
受信したパケットフォーマットに基づいて、最小平均平方誤差(Minimum Mean Square Error, MMSE)空間等化器またはリスト球面復号器(list sphere decoder, LSD)の何れかを選択することとを備える方法。
【請求項２】
パケットフォーマットに関連するチャネル符号化率が閾値の範囲を満たすときに、ＬＳＤを使用する方法であって、符号化率は、符号器に入るビット数と符号器から出るビット数との比を表わす請求項１記載の方法。
【請求項３】
第１の閾値の範囲は、３分の２以上のチャネル符号化率を含む請求項２記載の方法。
【請求項４】
候補点の閾値を満たす符号語を備える受信したパケットに対して、ＬＳＤを利用することをさらに備える請求項２記載の方法。
【請求項５】
閾値は、６４個の候補点である請求項４記載の方法。
【請求項６】
閾値の範囲は、２分の１以上から３分の２の間のチャネル符号化率を含む請求項２記載の方法。
【請求項７】
候補点の閾値を満たす符号語を備える受信したパケットに対して、ＬＳＤを利用することをさらに備える請求項６記載の方法。
【請求項８】
閾値は、６４個の候補点である請求項７記載の方法。
【請求項９】
より低い変調次数のパケットフォーマットに対してＬＳＤを使用することをさらに備える方法であって、変調次数は変調シンボルによって送信されるビット数を表わす請求項４記載の方法。
【請求項１０】
変調次数は、１６直交振幅変調(quadrature amplitude modulation, QAM)である請求項９記載の方法。
【請求項１１】
パケットフォーマットに関連する符号化率が閾値の範囲内であるときに、最小平均平方誤差(ＭＭＳＥ)空間等化器を使用する請求項１記載の方法。
【請求項１２】
チャネル符号化率の閾値の範囲は、２分の１よりも大きく、３分の２よりも小さい値を含む請求項１１記載の方法。
【請求項１３】
パケットフォーマットの変調次数が６４ＱＡＭであるときに、ＭＭＳＥ空間等化器を使用することをさらに備える請求項１２記載の方法。
【請求項１４】
直交位相シフトキーイング(Quadrature Phase Shift Keying, QPSK)が使用されるときに、ＬＳＤを使用することをさらに備える請求項１記載の方法。
【請求項１５】
６４個の候補点を有する符号語を備える受信したパケットに対して、ＬＳＤを使用することをさらに備える請求項９記載の方法。
【請求項１６】
ＭＭＳＥ空間等化器を使用する方法であって、ＭＭＳＥ空間等化器の性能は、ＬＳＤの性能よりも高いか、またはそれに等しい請求項１記載の方法。
【請求項１７】
再送後に、ＭＭＳＥ空間等化器を自動的に使用することをさらに備える請求項１記載の方法。
【請求項１８】
復調器は、複数入力複数出力(Multiple-In-Multiple-Out, MIMO)受信機システムにおいて動作する請求項１記載の方法。
【請求項１９】
ＭＩＭＯシステムにおける送信および受信アンテナの数を低減することによって、ＬＳＤの動作によって復号される候補点の数を調節することをさらに備える請求項１８記載の方法。
【請求項２０】
復調に使用されるパケットフォーマットを受信する受信構成要素と、
パケットフォーマットに少なくとも部分的に基づいて複数の復調方式の中の最適な１つを決定する解析構成要素と、
最適な復調方式を使用する復調構成要素とを備える装置。
【請求項２１】
解析構成要素は推論構成要素を使用し、推論構成要素は、事前のルールに基づく分類器、エキスパートシステム分類器、ナイーブベイズ分類器、最尤分類器、ニューラルネットワーク分類器、サポート ベクトル マシン(support vector machine, SVM)分類器、統計言語モデル分類器、および決定木分類器の中の少なくとも１つを使用する請求項２０記載の装置。
【請求項２２】
解析構成要素は、データベース ルックアップ テーブルを使用する請求項１５記載の装置。
【請求項２３】
パケットフォーマットに関連するチャネル符号化率が閾値の範囲を満たすときに、復調構成要素はＬＳＤを使用し、符号化率は、符号器に入るビット数と符号器を出るビット数との比を表わす請求項２０記載の装置。
【請求項２４】
閾値の範囲は、３分の２以上のチャネル符号化率の値を含む請求項２３記載の装置。
【請求項２５】
復調構成要素は、候補点の閾値を満たす符号語を備える受信したパケットに対してＬＳＤを利用する請求項２３記載の装置。
【請求項２６】
閾値は、６４個の候補点である請求項２５記載の装置。
【請求項２７】
閾値の範囲は、２分の１以上で、３分の２よりも小さいチャネル符号化率の値を含む請求項２３記載の装置。
【請求項２８】
パケットフォーマットに関連する符号化率が閾値の範囲内であるときに、復調構成要素はＭＭＳＥ空間等化器を使用する請求項２０記載の装置。
【請求項２９】
チャネル符号化率の閾値の範囲は、２分の１よりも大きく、３分の２よりも小さい値を含む請求項２８記載の装置。
【請求項３０】
受信したパケットが直交位相シフトキーイング(ＱＰＳＫ)を利用しているときに、復調構成要素はＬＳＤを使用する請求項２０記載の装置。
【請求項３１】
復調構成要素は、６４個の候補点を有する符号語を備える受信したパケットに対してＬＳＤを使用する請求項３０記載の装置。
【請求項３２】
復調構成要素はＭＭＳＥ空間等化器を使用し、ＭＭＳＥ空間等化器のスループットの性能は、ＬＳＤのスループットの性能よりも高いか、またはそれに等しい請求項２０記載の装置。
【請求項３３】
復調構成要素は、パケットの再送後に、ＭＭＳＥ空間等化器を自動的に使用する請求項２０記載の装置。
【請求項３４】
次の行為、すなわち、
復調に使用されるパケットフォーマットを受信することと、
受信したパケットフォーマットに基づいてＭＭＳＥ空間等化器またはリスト球面復号器(ＬＳＤ)の何れかを選択すること、とを行うコンピュータ実行可能命令を記憶させたコンピュータ読出し可能媒体。
【請求項３５】
受信したパケットの復調次数か、または符号語の復号器に関連する効率を表わす符号化率の少なくとも一方の関数として、受信したパケットに記憶されている少なくとも１つの符号語を復調する命令を記憶させた請求項３４記載のコンピュータ読出し可能媒体。
【請求項３６】
次の行為、すなわち、
復調に使用されるパケットフォーマットを受信することと、
受信したパケットフォーマットに基づいてＭＭＳＥ空間等化器またはリスト球面復号器(ＬＳＤ)の何れかを選択すること、を行うコンピュータ実行可能命令を記憶させたプロセッサ。
【請求項３７】
受信したパケットの復調次数か、または符号語の復号器に関連する効率を表わす符号化率の少なくとも一方の関数として、受信したパケットを復調する命令を記憶させた請求項３６記載のプロセッサ。
【請求項３８】
移動デバイスにおいてデータパケットを受信する手段と、
受信したデータパケットのフォーマット情報に少なくとも部分的に基づいて適切な復調器を選択する手段とを備える装置。
【請求項３９】
選択する手段にしたがって復調器を使用する手段をさらに備える請求項３８記載の装置。
【請求項４０】
事前のルールに基づく分類器、エキスパートシステム分類器、ナイーブベイズ分類器、最尤分類器、ニューラルネットワーク分類器、サポート ベクトル マシン(ＳＶＭ)分類器、統計言語モデル分類器、および決定木分類器の中の少なくとも１つによって、適切な復調器を推論する手段をさらに備える請求項３８記載の装置。
【発明の詳細な説明】
【技術分野】
【０００１】
本出願は、２００６年１月２３日に出願された米国仮出願第６０／７６１，５６６号（“PACKET FORMAT DEPENDENT SELECTION OF MIMO-OFDM DEMODULATOR”）の恩恵に対して権利を主張しており、この出願の全体は参照によって本出願に取り入れられる。
【０００２】
次の説明は、概ね、無線通信、より具体的には、受信機システムにおいて望ましい復調方式を選択することに関する。
【背景技術】
【０００３】
無線通信システムは、音声、データ、等のような様々なタイプの通信コンテンツを提供するために幅広く展開されている。これらのシステムは、利用可能なシステム資源(例えば、帯域幅および送信電力)を共有することによって複数のユーザとの通信をサポートすることができる多元接続システムであり得る。このような多元接続システムの例は、符号分割多元接続(code division multiple access, CDMA)システム、時分割多元接続(time division multiple access, TDMA)システム、周波数分割多元接続(frequency division multiple access, FDMA)システム、および直交周波数分割多元接続(orthogonal frequency division multiple access, OFDMA)システムを含む。
【０００４】
通常、無線多元接続通信システムは、複数の無線端末の通信を同時にサポートすることができる。順方向リンクおよび逆方向リンクにおける送信によって、それぞれの端末は１つ以上の基地局と通信する。順方向リンク(または、ダウンリンク)は、基地局から端末への通信リンクを指し、逆方向リンク(または、アップリンク)は、端末から基地局への通信リンクを指す。この通信リンクは、単一入力単一出力（single-in-single-out）、複数入力単一出力（multiple-in-single-out）、または複数入力複数出力(multiple-in-multiple-out, MIMO)のシステムによって設定され得る。
【０００５】
ＭＩＭＯシステムは、データ送信に複数（ＮＴ本）の送信アンテナと複数（ＮＲ本）の受信アンテナとを使用する。ＮＴ本の送信アンテナとＮＲ本の受信アンテナとによって形成されるＭＩＭＯチャネルは、ＮＳ本の独立チャネルに分解されることができ、これらは空間チャネルとも呼ばれる。なお、ＮＳ≦ｍｉｎ{ＮＴ，ＮＲ}である。ＮＳ本の独立チャネルの各々は、一次元に相当する。複数の送信アンテナおよび受信アンテナによって生成される追加の次元が利用されると、ＭＩＭＯシステムは改善された性能(例えば、より高いスループットおよび／またはより大きな信頼度)を提供することができる。
【０００６】
ＭＩＭＯシステムは、時分割デュプレックス(time division duplex, TDD)および周波数分割デュプレックス(frequency division duplex, FDD)システムをサポートする。ＴＤＤシステムでは、順方向リンク送信および逆方向リンク送信は同じ周波数領域上にあり、したがって、相互関係の原理（reciprocity principle）により、逆方向リンクチャネルから順方向リンクチャネルを推定することができる。これは、複数のアンテナがアクセスポイントにおいて利用可能であるときに、アクセスポイントが順方向リンクにおける送信ビームフォーミングの利得を抽出することを可能にする。
【０００７】
最も一般的なＭＩＭＯ−ＯＦＤＭ受信機のアーキテクチャは、線形の最小平均平方誤差(Minimum Mean Square Error, MMSE)空間等化器である。しかしながら、とくに、チャネル符号化率(信号符号器に入るビット数と信号符号器から出るビット数との比)が高く、変調次数（modulation order）(変調シンボルを使用して送信される（符号化された）ビット数を表わす)が低く、リスト内の候補数が多いとき、受信機の複雑さを高めるという犠牲を払うが、最近開発されたリスト球面復号(list sphere decoding, LSD)は、ＭＩＭＯ復号の誤り率を相当に低減する。複雑さを低減するために、象限検出方法（quadrant detection method)を用いたＱＲＭ−ＭＬＤと呼ばれるＬＳＤの単純化されたバージョンが提案された。（乗算回数に関する）複雑さの解析によると、２０乃至３０候補を有するＱＲＭ−ＭＬＤは、４本の送信アンテナおよび４本の受信アンテナのＭＭＳＥ空間等化器と同等の複雑さをもつ。さらに、ＱＲＭ−ＭＬＤの複雑さは、候補数に比例して高まる。
【０００８】
ＬＳＤは、様々な目的に適用され得る。第１に、ＬＳＤは、単一の符号語（single codeword, SCW）に基づくＭＩＭＯ受信機のスループットの性能を高めることができる(すなわち、ハイエンド（high-end）のＳＣＷ ＭＩＭＯの応用)。第２に、受信機が連続干渉消去(successive interference cancellation, SIC)を使用しないときに、複数の符号語（multiple codeword, MCW)に基づくＭＩＭＯ受信機のスループットの損失を最小化することができる(例えば、ローエンド(low-end)のＭＣＷ ＭＩＭＯの応用)。事実、ＨＡＲＱ動作を取り入れたＳＩＣ受信機のメモリ要件および動作の複雑さは相当に難しいので、ＬＳＤは、適度な数の候補でＳＩＣ受信機と同等のスループットの性能を達成することができるならば、非常に有益であるだろう。受信データの送信フォーマット(例えば、符号化率および変調次数)の特性を考慮して最適な復調方式を選択する必要が、当技術に存在する。
【発明の開示】
【発明の概要】
【０００９】
１つ以上の態様の基本的な理解をもたらすために、このような態様の簡略化された概要を次に提示する。この概要は、全ての熟考された態様の広範囲の要約ではなく、全ての態様の主要または重要な要素を識別することも、あるいは任意または全ての態様の範囲を定めることも意図していない。その唯一の目的は、後述で提示されるより詳細な説明に対する前置きとして、１つ以上の態様の幾つかの概念を簡略化した形で提示することである。
【００１０】
１つの態様によると、通信方法は、復調に使用されるパケットフォーマットを受信することと、受信したパケットフォーマットに基づいて、最小平均平方誤差(Minimum Mean Square Error, MMSE)空間等化器またはリスト球面復号器(list sphere decoder, LSD)の何れかを選択することとを備える。
【００１１】
別の態様によると、装置は、復調に使用されるパケットフォーマットを受信する受信構成要素と、パケットフォーマットに少なくとも部分的に基づいて複数の復調方式の中の最適な１つを決定する解析構成要素と、最適な復調方式を使用する復調構成要素とを備える。
【００１２】
別の態様によると、コンピュータ読出し可能媒体は、次の行為、すなわち、復調に使用されるパケットフォーマットを受信することと、受信したパケットフォーマットに基づいてＭＭＳＥ空間等化器またはリスト球面復号器(ＬＳＤ)の何れかを選択すること、とを行うコンピュータ実行可能命令を記憶させている。
【００１３】
別の態様において、プロセッサは、次の行為、すなわち、復調に使用されるパケットフォーマットを受信することと、受信したパケットフォーマットに基づいてＭＭＳＥ空間等化器またはリスト球面復号器(ＬＳＤ)の何れかを選択すること、とを行うコンピュータ実行可能命令を記憶させている。
【００１４】
さらにまた別の態様において、装置は、移動デバイスにおいてデータパケットを受信する手段と、受信したデータパケットのフォーマット情報に少なくとも部分的に基づいて適切な復調器を選択する手段とを備える。
【００１５】
上述の目的および関連する目的を達成するために、１つ以上の態様は、後述で十分に説明され、請求項にとくに示されている特徴を備える。次の説明および添付の図面は、１つ以上の態様の中の特定の例示的な態様を詳しく示している。しかしながら、これらの態様は、様々な態様の原理が使用され得る様々なやり方の幾つかのみを示し、説明された態様は、全てのそのような態様およびそれらに相当するものを含むことを意図していない。
【詳細な説明】
【００１６】
参照（reference）Ａは、本明細書に説明されている態様に関係する提示であり、この参照は、本明細書の一部を形成している。
【００１７】
ここで、様々な実施形態が図面を参照して説明される。なお、同じ参照番号は全体を通じて同じ要素を指すために使用されている。次の記述において、説明の目的で、多数の具体的な詳細が、１つ以上の実施形態の完全な理解をもたらすために記載されている。しかしながら、これらの具体的な詳細がなくても、このような実施形態が実行され得ることは明らかであり得る。他の例では、周知の構造およびデバイスは、１つ以上の実施形態の説明を容易にするために、ブロック図の形で示されている。
【００１８】
本出願において使用されているように、“構成要素（component）”、“モジュール（module）”、“システム（system）”、等の用語は、コンピュータに関連するエンティティ、すなわち、ハードウェア、ファームウェア、ハードウェアとソフトウェアとの組合せ、ソフトウェア、または実行中のソフトウェアの何れかを指すことを意図されている。例えば、構成要素は、プロセッサ上で実行されるプロセス、プロセッサ、オブジェクト、エグゼキュータブル（executable）、実行のスレッド、プログラム、および／またはコンピュータであり得るが、これらに制限されない。例として、コンピューティングデバイス上で実行されるアプリケーションおよびコンピューティングデバイスの両者は、構成要素であり得る。１つ以上の構成要素が、プロセスおよび／または実行のスレッド中に存在することができ、構成要素は、１つのコンピュータ上に配置され得る、および／または２つ以上のコンピュータ間で分散され得る。さらに、これらの構成要素は、様々なデータ構造を記憶させた様々なコンピュータ読出し可能媒体から実行することができる。構成要素は、例えば、１つ以上のデータパケットを有する信号にしたがって、ローカルおよび／またはリモートプロセスによって通信することができる(例えば、１つの構成要素からのデータは、ローカルシステム、分散システム内の別の構成要素と、および／またはインターネットのようにネットワークをわたって他のシステムと信号によって対話する）。
【００１９】
さらに、様々な実施形態は、移動デバイスに関連して本明細書に説明されている。移動デバイスは、システム、加入者ユニット、加入者局、移動局、モバイル、遠隔局、遠隔端末、アクセス端末、ユーザ端末、端末、無線通信デバイス、ユーザエージェント、ユーザデバイス、またはユーザ装置(user equipment, UE)とも呼ぶことができる。移動デバイスは、セルラ電話、コードレス電話、セッション開始プロトコル(Session Initiation Protocol, SIP)電話、無線ローカルループ(wireless local loop, WLL)ステーション、パーソナル ディジタル アシスタント(personal digital assistant, PDA)、無線接続能力をもつハンドヘルド型デバイス、コンピューティングデバイス、または無線モデムに接続された他の処理デバイスでもあり得る。さらに、様々な実施形態は、基地局に関連して本明細書に説明されている。基地局は、移動デバイスと通信するために利用され、アクセスポイント、ノードＢ、または何か他の用語でも呼ばれ得る。
【００２０】
さらに、本明細書に説明されている様々な態様または特徴は、方法、装置、あるいは、標準的なプログラミングおよび／またはエンジニアリング技術を用いた製造品として実施され得る。本明細書において使用されている“製造品（article of manufacture）”という用語は、任意のコンピュータ読み出し可能デバイス、キャリア、または媒体からアクセスすることができるコンピュータプログラムを含むことを意図されている。例えば、コンピュータ読み出し可能媒体は、磁気記憶デバイス（例えば、ハードディスク、フロッピー（登録商標）ディスク、磁気ストリップ、等）、光ディスク（例えば、コンパクトディスク（ＣＤ）、ディジタル多用途ディスク（ＤＶＤ）、など）、スマートカード、フラッシュメモリデバイス（例えば、ＥＰＲＯＭ、カード、スティック、キードライブ、等）を含むことができるが、これらに制限されない。さらに、本明細書に説明されている様々な記憶媒体は、情報を記憶する１つ以上のデバイスおよび／または他の機械読出し可能媒体を表わすことができる。“機械読出し可能媒体（machine-readable medium）”という用語は、命令および／またはデータを記憶、収容、および／または搬送することができる無線チャネルおよび様々な他の媒体を含むことができるが、これらに制限されない。
【００２１】
図１を参照すると、１つの実施形態にしたがう多元接続無線通信システムが示されている。アクセスポイント100(access point, AP)は複数のアンテナグループを含み、１つのアンテナグループは参照番号104および106を含み、別のアンテナグループは参照番号108および110を含み、さらなるアンテナグループは参照番号112および114を含む。図１では、各アンテナグループに対して、２本のみのアンテナが示されているが、各アンテナグループに対して、より多くまたはより少数のアンテナが利用され得る。アクセス端末116(access terminal, AT)は、アンテナ112および114と通信し、アンテナ112および114は、順方向リンク120によりアクセス端末116に情報を送信し、逆方向リンク118によりアクセス端末116から情報を受信する。アクセス端末122は、アンテナ106および108と通信し、アンテナ106および108は、順方向リンク126上でアクセス端末122に情報を送信し、逆方向リンク124上でアクセス端末122から情報を受信する。ＦＤＤシステムでは、通信リンク118、120、124、および126は通信に異なる周波数を使用し得る。例えば、順方向リンク120は、逆方向リンク118によって使用されている周波数と異なる周波数を使用し得る。
【００２２】
アンテナの各グループおよび／またはそれらが通信するように指定されたエリアは、しばしばアクセスポイントのセクタと呼ばれる。実施形態において、各アンテナグループは、アクセスポイント100によってカバーされたエリアの中のセクタ内のアクセス端末と通信するように指定されている。
【００２３】
順方向リンク120および126による通信において、アクセスポイント100の送信アンテナは、異なるアクセス端末116および124に対する順方向リンクの信号対雑音比を改善するために、ビームフォーミングを利用する。さらに、受信可能領域中にランダムに分散したアクセス端末に送信するためにビームフォーミングを使用するアクセスポイントは、その全アクセス端末に対して１本のアンテナにより送信するアクセスポイントよりも、近隣セル内のアクセス端末に対してより低い干渉を発生する。アクセスポイントは、端末と通信するのに使用される固定局であり、アクセスポイント、ノードＢ、または何か他の用語でも呼ばれ得る。アクセス端末は、ユーザ装置(user equipment, UE)、無線通信デバイス、端末、または何か他の用語でも呼ばれ得る。
【００２４】
図２は、ＭＩＭＯシステム200における送信機システム210(アクセスポイントとしても知られている)および受信機システム250（アクセス端末としても知られている)の実施形態のブロック図である。送信機システム210において、多数のデータストリームのトラフィックデータは、データ源212から送信(ＴＸ)データプロセッサ214に与えられる。実施形態において、各データストリームは、それぞれの送信アンテナにより送信される。ＴＸデータプロセッサ214は、各データストリームに対して選択された特定の符号化方式に基づいて、そのデータストリームのトラフィックデータをフォーマットし、符号化し、インターリーブして、符号化されたデータを与える。各データストリームの符号化されたデータは、ＯＦＤＭ技術を使用して、パイロットデータと多重化され得る。パイロットデータは、一般に、既知のやり方で処理される既知のデータパターンであって、チャネル応答を推定するために受信機システムにおいて使用され得る。次に、各データストリームの多重化されたパイロットデータおよび符号化されたデータは、そのデータストリームに対して選択された特定の変調方式(例えば、ＢＰＳＫ、ＱＰＳＫ、Ｍ−ＰＳＫ、またはＭ−ＱＡＭ)に基づいて変調され(すなわち、シンボルマップされ)、変調シンボルを与える。各データストリームのデータレート、符号化、および変調は、プロセッサ230によって実行される命令によって決定され得る。
【００２５】
次に、全データストリームの変調シンボルは、ＴＸ ＭＩＭＯプロセッサ220に与えられ、ＴＸ ＭＩＭＯプロセッサ220は、(例えば、ＯＦＤＭのために)変調シンボルをさらに処理し得る。次に、ＴＸ ＭＩＭＯプロセッサ220は、ＮＴ本の変調シンボルストリームをＮＴ個の送信機（transmitter, TMTR）222a乃至222tに与える。特定の実施形態において、ＴＸ ＭＩＭＯプロセッサ220は、ビームフォーミングの重みを、データストリームのシンボルと、シンボルを送信するアンテナとに加える。
【００２６】
送信機222は、それぞれのシンボルストリームを受信して処理し、１つ以上のアナログ信号を与え、アナログ信号をさらに調整し(例えば、増幅、フィルタリング、およびアップコンバート)、ＭＩＭＯチャネルにより送信するのに適した変調された信号を与える。次に、送信機222a乃至222tからのＮＴ個の変調された信号は、ＮＴ本のアンテナ224a乃至224tから送信される。受信機システム250において、送信された変調された信号は、ＮＲ本のアンテナ252a乃至252rによって受信され、各アンテナ252からの受信信号は、それぞれの受信機(receiver, RCVR)254a乃至254rに与えられる。各受信機254は、それぞれの受信信号を調整し(例えば、フィルタリング、増幅、およびダウンコンバート)、調整された信号をディジタル化して、サンプルを与え、サンプルをさらに処理し、対応する“受信”シンボルストリームを与える。
【００２７】
次に、ＲＸデータプロセッサ260は、ＮＲ個の受信機254からＮＲ本の受信シンボルストリームを受信し、特定の受信機処理技術に基づいて処理し、ＮＴ本の“検出された”シンボルストリームを与える。次に、ＲＸデータプロセッサ260は、各検出されたシンボルストリームを復調し、デインターリーブし、復号し、データストリームのトラフィックデータを復元する。ＲＸデータプロセッサ260による処理は、送信機システム210のＴＸ ＭＩＭＯプロセッサ220およびＴＸデータプロセッサ214によって行われる処理と相補的である。プロセッサ270は、(後述で説明されるように)どのプリコーディング行列（pre-coding matrix）を使用するかを定期的に決定する。プロセッサ270は、行列のインデックス部分と階数値部分とを備える逆方向リンクメッセージを公式化する。
【００２８】
逆方向リンクメッセージは、通信リンクおよび／または受信データストリームに関する様々なタイプの情報を備え得る。次に、逆方向リンクメッセージはＴＸデータプロセッサ238によって処理され（ＴＸデータプロセッサ238はデータ源236から幾つかのデータストリームのトラフィックデータも受信する）、変調器280によって変調され、送信機254a乃至254rによって調整され、送信機システム210に送り返される。
【００２９】
送信機システム210において、受信機システム250からの変調された信号は、アンテナ224によって受信され、受信機222によって調整され、復調器240によって復調され、ＲＸデータプロセッサ242によって処理され、受信機システム250によって送信された逆方向リンクメッセージを抽出する。次に、プロセッサ230は、ビームフォーミングの重みを決定するのにどのプリコーディング行列を使用するかを決定し、抽出されたメッセージを処理する。
【００３０】
ここで図３を参照すると、本明細書における様々な実施形態にしたがう、送信フォーマットに応じて最適な復調器の選択を行うシステム300が示されている。移動端末(図示されない)に関連した受信構成要素302は、データベース構成要素304と復調構成要素306とを備える。データベース構成要素304は、最適な復調方式を決定することができ、続いて復調構成要素306がそれを使用する。より具体的には、データベース構成要素304は、受信データの特性に少なくとも部分的に基づいて、望ましい復調方式を決定することができる。復調構成要素306は、データベース構成要素304における決定にしたがって、適切な復調方式を使用することができる。１つの実施形態において、復調構成要素306は、リスト球面復号器(list sphere decoder, LSD)とＭＭＳＥ空間等化器とから選択する。しかしながら、任意の復調方式がシステム300において適用され得ると理解される。
【００３１】
図４を参照すると、システム400は受信構成要素402を備える。例示的な実施形態において、受信構成要素402はＭＩＭＯ−ＯＦＤＭシステムであり得るが、任意の受信機アーキテクチャがシステム400において使用され得ると理解される。受信構成要素402はデータベース構成要素404を備える。さらに、データベース構成要素404は、解析構成要素406および推論構成要素（inference component）408を備えることができる。１つの実施形態において、解析構成要素406は、ルックアップ テーブルを使用して、受信データの特性に基づいて適用されるべき適切な復調器を決定することができる。より具体的には、例えば、ＭＭＳＥが使用されるべきか、またはＬＳＥ復調器が使用されるべきかを決定するために、送信フォーマット(例えば、符号化率および変調次数)に関するデータを記憶しているルックアップ テーブルは、受信したデータの送信フォーマットの特性と比較される。その代わりに、例えば、解析構成要素406が、使用されるべき適切な復調器を決定することができないときに、推論構成要素408を使用して、このような決定をすることができる。１つの実施形態において、推論構成要素408は、任意の適切なタイプの分類器、例えば、事前のルールに基づく分類器（a priori rule-based classifier）および確率依存モデルに基づく分類器（probabilistic dependency model based classifier）を含む任意の適切なタイプの分類器を使用して、適切な復調方式を決定することができる。分類器システムの別の例は、エキスパートシステム分類器（expert system classifier）、ナイーブベイズ分類器（naive Bayes classifier）、最尤分類器（maximum likelihood classifier）、ニューラルネットワーク分類器（neural network classifier）、サポート ベクトル マシン(support vector machine, SVM)分類器、統計言語モデル分類器(statistical language model classifier)、および決定木分類器（decision tree classifier）を含む。
【００３２】
ここで図５を参照すると、システム500は受信機構成要素502を備える。例示的な実施形態によると、受信機構成要素502はＭＩＭＯ−ＯＦＤＭ受信機システムであり得る。しかしながら、任意の受信機システムがシステム500において使用され得ると理解される。受信機構成要素502は復調器構成要素504を備える。復調器構成要素504は任意の復調方式を使用することができると理解される。例示的な実施形態において、復調器構成要素504は、受信データの送信フォーマット特性に少なくとも部分的に基づいて、ＬＳＤ506およびＭＭＳＥ空間等化器508の一方を使用する。以下は、４本の送信アンテナおよび４本の受信アンテナがあるときのＯＦＤＭ-ＭＩＭＯ受信機における復調器選択の例示的な方式であり、これは、ＬＳＤの最大許容候補数(例えば、複雑さ)が６４であると仮定している。
【００３３】
符号化率が２／３以上であるときは、ＬＳＤは、ＭＭＳＥ空間等化器よりも相当に性能が優れている。全変調次数に対して６４候補を有するＬＳＤを使用する。代わりに、符号化率が１／２から２／３の間であるときは、１６ＱＡＭおよびより低い次数の変調に対して６４候補を有するＬＳＤを使用し、一方で６４ＱＡＭに対してＭＭＳＥ空間等化器を使用する。代わりに(すなわち、符号化率＜１／２)、ＱＰＳＫ変調が使用されるときは、６４候補を有するＬＳＤを使用する。そうでなければ、ＭＭＳＥの性能は、ＬＳＤの性能と同等またはそれよりも優れている。ＭＭＳＥ空間等化器を使用する。
【００３４】
２回目の送信(例えば、再送)の後では、ＭＭＳＥ空間等化器のみの使用で十分であるほど、符号化率が低い可能性が高い。既に示したように、必要であれば、ＬＳＤの動作において、候補数を調節することができる。さらに、２本の送信アンテナおよび２本の受信アンテナを用いたＭＩＭＯ−ＯＦＤＭシステムでは、候補数はより大胆に低減され得る（例えば、３２）。シミュレーションによって最適化される選択的な復調器の設計に関して、次に説明する。
【００３５】
さらに図５を参照すると、ＬＳＤ復調方式を使用するのが望ましいと決定されると、受信機構成要素502は、符号化率、変調次数、および層または送信ストリームの数に応じて、候補数(例えば、複雑さ)を選択的に決定することもできる。
【００３６】
シミュレーション設定テーブル（Simulation Set-up table）、すなわち図６および７は、リンク スループット シミュレーションの数値（numerology）および資源配分を示している。送信機、チャネル、および受信機構成は、次の通りである。
【００３７】
・ＭＩＭＯにおける２×２(２層)および４×４（４層）のアンテナ構成
・ＭＣＷ-ＭＩＭＯ(ＰＲＡＰ  ｗ／全ＣＱＩ、増分ＣＱＩ、および複数のＡＣＫ)並びにＳＣＷ-ＭＩＭＯ(ＢＬＡＳＴ)
・受信機アーキテクチャ−ＳＣＷ-ＭＩＭＯ(ＢＬＡＳＴ)に対して線形のＭＭＳＥおよびＱＲＭ−ＭＬＤ、ＭＣＷ-ＭＩＭＯ(ＰＲＡＰ)に対してＭＭＳＥ-ＳＩＣ
・Ｎｘ時間−周波数分散ＦＤＭパイロット構造、なお、Ｎは送信アンテナ数である(Ｎ＝１，２，４)
・パイロットおよびデータトーンは、全帯域にわたって等間隔である
・帯域制限された白色干渉および雑音
・ＧＳＭ ＴＵチャネル−３ｋｍｐｈ、３０ｋｍｐｈ
・チャネル推定−ＭＭＳＥ推定
・チャネル推定長−１５ ＯＦＤＭシンボル
・ＣＱＩフィードバック遅延−２ ＴＴＩ
・ＣＱＩフィードバック頻度−ＴＴＩ当たりに１回
・並列Ｈ−ＡＲＱ処理数−６
・再送の最大回数−４（１回目の送信を含む）
・適応Ｈ−ＡＲＱ ＢＬＥＲ制御−１回目の送信後に対して２０％のＢＬＥＲの目標
ここで図８を参照すると、３２項目からなる、各送信アンテナの適応変調および符号化に使用される変調および符号化方式(Modulation and Coding Scheme, MCS)を示したテーブルが示されている。したがって、５ビットが、複数の符号語の送信−複数入力複数出力（Multiple Codeword Transmission-Multiple Input, Multiple Output ,MCW-MIMO）送信と、単一の符号語の送信−複数入力複数出力（Single Codeword Transmission-Multiple Input, Multiple Output, SCW-MIMO)送信との両者に対して、完全なチャネル品質インジケータ（Channel Quality Indicator, CQI)の記述に割り振られている。なお、ＭＣＷ-ＭＩＭＯは、各層の送信フォーマットを個々に制御し、一方でＳＣＷ-ＭＩＭＯは、全ての層に適用される共通の送信フォーマットを制御する。ＭＣＷ-ＭＩＭＯの増分ＣＱＩの記述では、３ビットが割り振られた(０乃至７ｄＢをカバーしている)。徐々に変化する（shaded）ＭＣＳフォーマットを使用するパケットは、１回目の送信では制限された変調次数(最大は６であり、６４ＱＡＭに対応する)のために復号することはできないが、ハイブリッド自動要求(Hybrid Automatic Request, H-ARQ)動作に関連してデータレートの細かい粒度（fine granularity）を与え、したがって、シミュレーションにおいて、最大スペクトル効率は、送信アンテナ当たりに２１Ｍｂｐｓに制限されることに注意すべきである。
【００３８】
ここで図９乃至１２を参照すると、対応するプロットは、最小平均平方誤差−連続干渉消去(Minimum Mean Square Error-Successive Interference Cancellation, MMSE-SIC)受信機を用いたＭＣＷ-ＭＩＭＯ(ハイエンドのＭＩＭＯ)、線形のＭＭＳＥ受信機を用いたＳＣＷ-ＭＩＭＯ(ローエンドのＭＩＭＯ)、およびＬＳＤ受信機を用いたＳＣＷ-ＭＩＭＯのスループットの性能を比較している。ＬＳＤの候補数は、６４に設定される。全プロットにおいて見られ得るように、ＬＳＤ受信機のスループットの性能は、低いジオメトリ（geometry）および高いジオメトリにおいて、ＭＭＳＥ-ＳＩＣ受信機のスループットの性能と同等であるが、(約１５ｄＢの)中間のジオメトリにおいて、劣っている（poor）。とくに、４×４のＭＩＭＯにおいて、６４候補を有するＬＳＤ受信機は、線形のＭＭＳＥ受信機よりも性能が相当に劣っており、２５６候補を使用することによって、同等のスループットをかろうじて達成するが、これはＭＭＳＥ受信機よりも１０倍を超える複雑さを必要とする。
【００３９】
図１３を参照すると、符号化率が１／２よりも小さく、変調が６４ＱＡＭであるときは、ＬＳＤ受信機の性能が劣ることが明らかになり、これは固定データレートのＢＬＥＲの性能評価でも示されている。(１５ｄＢのジオメトリに対応する符号化率および変調次数を参照)。他方で、符号化率が高いか、または変調次数が低いときは、ＬＳＤは非常に効率的になる。
【００４０】
ここで、対象の発明にしたがう様々な方法を一連の行為によって説明する。本発明は行為の順序によって制限されず、本発明によると、幾つかの行為は示されている順序と異なる順序で、および／または他の行為と同時に行われ得ると理解および認識される。例えば、当業者は、方法が状態図のような一連の相互に関係する状態またはイベントとして代わりに表現され得ることを理解および認識するであろう。さらに、本発明にしたがって方法を実施するために、全ての示されている行為が必要とされるとは限らない。
【００４１】
ここで図１４を参照すると、無線通信システムにおいて変調された信号の復調を助ける方法1400が示されている。方法1400は、参照番号1402および1404から始まり、変調された信号は、１つ以上のモバイルシステムで受信される。参照番号1406において、変調された信号は、受信信号のフィルタリング、増幅、ダウンコンバーティングのような調整手続きによって処理される。調整された信号は、さらに、サンプルを提供するためにディジタル化され、対応するシンボルストリームを与えるために処理される。参照番号1408では、１つ以上のモバイルシステムにおいて、変調された信号の特性が解析され、参照番号1410では、変調された信号の送信フォーマット(例えば、符号化率および／または変調次数)の特性に少なくとも部分的に基づいて、適切な復調方式(例えば、ＬＳＤまたはＭＭＳＥ空間等化器)が選択される。この決定は、費用対効果解析（cost-benefit analysis）を含むことができる。コストは、電力消費、復号誤り率、受信機の複雑さに関連したコスト、および単一の符号語が関わるかまたは複数の符号語が関わるかに基づくスループットの性能の損失のような要因によって測定することができる。効果は、復号誤り率の低減、スループットの性能の最適化、および受信機の複雑さの増加の防止のような要因によって測定することができる。信頼水準が高いときは、遷移を開始し、信頼水準が低いときは、遷移を開始しないといった確率に基づく解析に基づいて、判定を行うことができる。既に説明したように、(機械学習システムを含む)ＡＩに基づく技術は、このような決定または推論に関連して使用することができる。その代わりに、より単純なルールに基づくプロセスを使用することができ、ここでは、特定の条件が満たされるときは、復調方式間で遷移が行われ、特定の条件が満たされないときは、遷移は行われない。
【００４２】
ここで図１５を参照すると、無線通信システムにおいて変調された信号の復調を助ける方法1500が示されている。方法1500は、参照番号1502から始まり、参照番号1504において、変調された信号は１つ以上のモバイルシステムにおいて受信される。参照番号1506において、変調された信号は、受信信号のフィルタリング、増幅、およびダウンコンバーティングのような調整手続きによって処理される。調整された信号は、さらに、サンプルを与えるためにディジタル化され、対応するシンボルストリームを与えるために処理される。参照番号1508において、受信されて変調された信号の送信フォーマットの特性が解析される。より具体的には、信号の符号化率が第１の閾値(例えば、３分の２)を超えていると決定されると、方法1500は参照番号1510に移る。参照番号1510において、方法1500は、ＬＳＤを使用して、受信されて変調された信号を復調する。しかしながら、参照番号1508において符号化率が第１の閾値を超えていないときは、方法1500は参照番号1512に移る。参照番号1512において、変調された信号の符号化率が、第１の閾値（例えば、３分の２）よりも小さい第２の閾値内(例えば、２分の１よりも大きく、３分の２よりも小さい)であると決定されると、方法1500は参照番号1510に移る。参照番号1510において、信号の変調次数が低い(例えば、１６ＱＡＭ)であると決定されると、参照番号1510において、ＬＳＤを使用して、受信されて変調された信号を復調する。そうではなくて、より高い変調次数(例えば、６４ＱＡＭ)を有する信号に対しては、参照番号1516において、ＭＭＳＥ空間等化器を使用して、信号を復調する。参照番号1512において、決定がノーであるときは、方法1500は参照番号1518に移る。参照番号1518において、直交位相シフトキーイング(quadrature phase shift keying, QPSK)が使用されているかどうかを決定する。参照番号1518における決定がイエスであるときは、方法1500は参照番号1510に移り、ＬＳＤを使用して、受信されて変調された信号を復調する。反対に、参照番号1518における決定がノーであるときは、方法1500は参照番号1516に移り、ＭＭＳＥ空間等化器を使用して、変調された信号を復調する。
【００４３】
ここで図１６を参照すると、最適な復調器の選択を助けるシステム1600が示されている。システム1600は、移動デバイスにおいてデータパケットを受信するモジュール1602を含むことができる。移動デバイスは、セルラ電話、コードレス電話、セッション開始プロトコル(Session Initiation Protocol, SIP)電話、無線ローカルループ(wireless local loop, WLL)ステーション、パーソナル ディジタル アシスタント(personal digital assistant, PDA)、無線接続能力を有するハンドヘルドデバイス、コンピューティングデバイス、または無線モデムに接続された他の制御デバイスであり得ると理解される。システム1600は、受信データパケットのフォーマット情報に少なくとも部分的に基づいて、適切な復調器(例えば、ＭＭＳＥ空間等化器、ＬＳＤ)を選択するモジュール1604をさらに含むことができる。
【００４４】
図１７は、本明細書に説明されている１つ以上の態様にしたがう、無線通信環境において他のセクタ通信を与える端末またはユーザデバイス1700の図である。端末1700は、受信機1702を備え、受信機1702は、例えば、１本以上のアンテナで、信号を受信し、受信信号に対して通常の行為(例えば、フィルタリング、増幅、ダウンコンバート、等)を行って、調整された信号をディジタル化し、サンプルを得る。復調器1704はサンプルを復調し、受信したパイロットシンボルをプロセッサ1706に与えることができる。
【００４５】
プロセッサ1706は、受信機構成要素1702によって受信された情報の解析および／または送信機1714によって送信する情報の生成に専用のプロセッサであり得る。プロセッサ1706は、端末1700の１つ以上の構成要素を制御するプロセッサ、および／または受信機1702によって受信された情報を解析し、送信機1714によって送信する情報を生成し、端末1700の１つ以上の構成要素を制御するプロセッサであり得る。プロセッサ1706は、図１４および１５に関係して説明された方法を含めて、本明細書に説明された方法の何れかを利用することができる。
【００４６】
さらに、端末1700は、送信制御構成要素1708を含むことができ、送信制御構成要素1708は、成功した送信の確認応答を含めて、受信した入力を解析する。確認応答(acknowledgement, ACK)は、サービングセクタおよび／または近隣セクタから受信することができる。確認応答は、アクセスポイントの１つが前の送信の受信および復号に成功したことを示すことができる。確認応答が受信されない、または否定応答(negative acknowledgement, NAK)が受信されると、送信を再送することができる。送信制御構成要素1708は、プロセッサ1706に組み込むことができる。送信制御構成要素1708は、確認応答の受信の決定に関する解析を行う送信制御コードを含むことができると理解される。
【００４７】
端末1700は、メモリ1710をさらに備えることができ、メモリ1710は、プロセッサ1706に動作可能に連結され、送信に関係する情報、アクティブな組のセクタ、送信を制御する方法、それに関係する情報を備えるルックアップテーブル、および本明細書に説明されている送信およびアクティブな組のセクタに関係する任意の他の適切な情報を記憶することができる。本明細書に説明されているデータ記憶(例えば、メモリ)構成要素は、揮発性メモリまたは不揮発性メモリの何れか、あるいは揮発性メモリおよび不揮発性メモリの両者を含むことができると理解される。制限するのではなく、例示的に、不揮発性メモリは、読み出し専用メモリ(read only memory, ROM)、プログラム可能なＲＯＭ(programmable ROM, PROM)、電気的にプログラム可能なＲＯＭ(electrically programmable ROM, EPROM)、電気的に消去可能なＲＯＭ(electrically erasable ROM, EEPROM)、またはフラッシュメモリを含むことができる。揮発性メモリは、ランダムアクセスメモリ(random access memory, RAM)を含むことができ、これは外部キャッシュメモリの役割をする。制限するのではなく、例示的に、ＲＡＭは、同期ＲＡＭ(synchronous RAM, SRAM)、ダイナミックＲＡＭ(dynamic RAM, DRAM)、同期ＤＲＡＭ(synchronous DRAM, SDRAM)、ダブル データ レートＳＤＲＡＭ(double data rate SDRAM, DDR SDRAM)、拡張ＳＤＲＡＭ(enhanced SDRAM, ESDRAM)、Ｓｙｎｃｈｌｉｎｋ ＤＲＡＭ(ＳＬＤＲＡＭ)、および直接ラムバスＲＡＭ(direct Rambus RAM, DRRAM)のような多くの形で利用可能である。対象のシステムおよび方法のメモリ1710は、これらのメモリおよび任意の他の適切なタイプのメモリを備えることを意図されているが、これらに制限されない。プロセッサ1706は、シンボル変調器1712、および変調された信号を送信する送信機1714に接続される。
【００４８】
図１８は、様々な態様にしたがう、通信環境において他のセクタ通信を助けるシステム1800の図である。システム1800は、受信機1810を有するアクセスポイント1802を備え、これは１つ以上の端末1804から１本以上の受信アンテナ1806を介して信号を受信し、複数の送信アンテナ1808を介して１つ以上の端末1804へ送信する。端末1804は、アクセスポイント1802によってサポートされている端末と、近隣セクタによってサポートされている端末1804とを含むことができる。１つ以上の態様において、受信アンテナ1806および送信アンテナ1808は、1組のアンテナを使用して実施することができる。受信機1810は、受信アンテナ1806から情報を受信することができ、復調器1812に動作可能に関連付けられ、復調器1812は受信情報を復調する。当業者によって理解されるように、受信機1810は、例えば、ＭＭＳＥベースの受信機、またはそれに割り当てられた端末を区別する何か他の適切な受信機であり得る。様々な態様にしたがって、(例えば、受信アンテナごとに１つずつ)複数の受信機を使用することができ、このような受信機は相互に通信して、ユーザデータの改善された推定値を与えることができる。復調されたシンボルはプロセッサ1814によって解析され、プロセッサ1814は、図１７に関して上述で説明されたプロセッサと同様であり、メモリ1816に連結され、メモリ1816は、端末に関係する情報、端末に関連する割り当てられた資源、等を記憶する。各アンテナに対する受信機の出力は、受信機1810および／またはプロセッサ1814によって共同で処理することができる。変調器1818は信号を多重化することができ、送信機1820はそれを送信アンテナ1808を介して端末1804に送信する。
【００４９】
アクセスポイント1802は、端末通信構成要素1822をさらに備え、端末通信構成要素1822は、プロセッサ1814と別個のプロセッサ、またはプロセッサ1814に統合されたプロセッサであり得る。端末通信構成要素1822は、近隣セクタによってサポートされている端末に対する資源割り当て情報を得ることができる。さらに、端末通信構成要素1822は、アクセスポイント1802によってサポートされている端末について、近隣セクタに割り当て情報を与えることができる。割り当て情報は、バックホールシグナリングによって与えることができる。
【００５０】
割り当てられた資源に関する情報に基づいて、端末通信構成要素1822は、近隣セクタによってサポートされている端末からの送信の検出、および受信した送信の復号を指示することができる。メモリ1816は、パケットの復号に必要な割り当て情報を受信する前に、端末から受信されたパケットを維持することができる。端末通信構成要素1822は、送信の受信および復号に成功したことを示す確認応答の送信および受信も制御することができる。端末通信構成要素1822は、資源の割り当て、ソフトハンドオフのための端末の識別、送信の復号、等に関して有用性に基づく制御（utility based control）を行う送信解析コードを含むことができると理解される。端末解析コードは、端末の性能を最適化することに関して、推論、および／または確率的決定、および／または統計に基づく決定を行うことに関して、人工知能に基づく方法を利用することができる。
【００５１】
図１９は、例示的な無線通信システム1900を示している。無線通信システム1900は、簡潔性のために、１つの基地局と１つの端末とを示している。しかしながら、システム1900が、２つ以上の基地局またはアクセスポイント、および／または２つ以上の端末またはユーザデバイスを含むことができると理解され、追加の基地局および／または端末は、後述で説明される例示的な基地局および端末と実質的に同様であっても、または異なっていてもよい。さらに、基地局および／または端末は、本明細書に説明されているシステムおよび／または方法を使用して、そこでそれらの間の無線通信を助けることができると理解される。
【００５２】
ここで図１９を参照すると、ダウンリンク上では、アクセスポイント1905において、送信(ＴＸ)データプロセッサ1910は、トラフィックデータを受信し、フォーマットし、符号化し、インターリーブし、変調し(または、シンボルマップ)、変調シンボル(“データシンボル”)を与える。シンボル変調器1915は、データシンボルおよびパイロットシンボルを受信して処理し、シンボルのストリームを与える。シンボル変調器1915は、データおよびパイロットシンボルを多重化し、Ｎ個の送信シンボルのセットを得る。各送信シンボルは、データシンボル、パイロットシンボル、またはゼロの信号値であり得る。パイロットシンボルは、各シンボル周期に連続的に送られ得る。パイロットシンボルは、周波数分割多重化(frequency division multiplex, FDM)、直交周波数分割多重化（orthogonal frequency division multiplexed, OFDM）、時分割多重化（time division multiplex TDM）、または符号分割多重化（code division multiplexed, CDM）され得る。
【００５３】
送信機ユニット(ＴＭＴＲ)1920は、シンボルのストリームを受信し、１つ以上のアナログ信号に変換し、アナログ信号をさらに調整し(例えば、増幅、フィルタリング、および周波数アップコンバート)、無線チャネル上での送信に適したダウンリンク信号を生成する。
【００５４】
次に、ダウンリンク信号はアンテナ1925を介して端末へ送信される。端末1930において、アンテナ1935は、ダウンリンク信号を受信し、受信信号を受信機ユニット(ＲＣＶＲ)1940に与える。受信機ユニット1940は、受信信号を調整し(例えば、フィルタリング、増幅、および周波数ダウンコンバート)、調整された信号をディジタル化し、サンプルを得る。シンボル復調器1945は、Ｎ個の受信シンボルを得て、受信パイロットシンボルを、チャネル推定のためにプロセッサ1950に与える。シンボル復調器1945は、さらに、プロセッサ1950からダウンリンクに対する周波数応答推定値を受信し、受信データシンボルに対してデータ復調を行い、データシンボル推定値(送信されたデータシンボルの推定値)を得て、データシンボル推定値をＲＸデータプロセッサ1955に与え、ＲＸデータプロセッサ1955は、データシンボル推定値を復調し（すなわち、シンボルデマップ）、デインターリーブし、復号し、送信されたトラフィックデータを復元する。シンボル復調器1945およびＲＸデータプロセッサ1955による処理は、アクセスポイント1905におけるシンボル変調器1915およびＴＸデータプロセッサ1910による処理とそれぞれ相補的である。
【００５５】
アップリンク上では、ＴＸデータプロセッサ1960はトラフィックデータを処理し、データシンボルを与える。シンボル変調器1965は、データシンボルを受信し、パイロットシンボルと多重化し、変調を行い、シンボルのストリームを与える。次に、送信機ユニット1970は、シンボルのストリームを受信して処理し、アップリンク信号を生成し、アップリンク信号は、アンテナ1935によってアクセスポイント1905に送信される。
【００５６】
アクセスポイント1905において、端末1930からのアップリンク信号は、アンテナ1925によって受信され、受信機ユニット1975によって処理され、サンプルを得る。次に、シンボル復調器1980は、サンプルを処理し、アップリンクの受信パイロットシンボルおよびデータシンボル推定値を与える。ＲＸデータプロセッサ1985は、データシンボル推定値を処理し、端末1930によって送信されたトラフィックデータを復元する。プロセッサ1990は、アップリンク上で送信している各アクティブな端末に対するチャネル推定を行う。
【００５７】
プロセッサ1990および1950は、アクセスポイント1905および端末1930における動作をそれぞれ指示する(例えば、制御、調整、管理、...)。それぞれのプロセッサ1990および1950は、プログラムコードおよびデータを記憶するメモリ（図示されていない）に関連付けることができる。プロセッサ1990および1950は、アップリンクおよびダウンリンクに対する周波数応答推定値およびインパルス応答推定値を導き出す計算も行うことができる。
【００５８】
多元接続システム(例えば、ＦＤＭＡ、ＯＦＤＭＡ、ＣＤＭＡ、ＴＤＭＡ、等)において、複数の端末は、アップリンク上で同時に送信することができる。このようなシステムにおいて、パイロットサブバンドは異なる端末間で共有され得る。各端末のパイロットサブバンドが全動作帯域(場合によってはバンドエッジを除く)にわたる場合に、チャネル推定技術が使用され得る。このようなパイロットサブバンド構造は、各端末に対する周波数ダイバーシチを得るのに望ましいであろう。本明細書に説明されている技術は、様々な手段によって実施され得る。例えば、これらの技術は、ハードウェア、ソフトウェア、またはその組合せにおいて実施され得る。ハードウェアの実施では、チャネル推定に使用される処理ユニットは、１つ以上の特定用途向け集積回路（application specific integrated circuit, ASIC）、ディジタル信号プロセッサ（digital signal processor, DSP）、ディジタル信号処理デバイス（digital signal processing device, DSPD）、プログラマブル論理デバイス（programmable logic devices, PLD）、フィールド プログラマブル ゲート アレイ（field programmable gate array, FPGA）、プロセッサ、制御装置、マイクロコントローラ、マイクロプロセッサ、本明細書に記載されている機能を行うように設計された他の電子ユニット、またはその組合せの中で実施され得る。ソフトウェアでは、本明細書に説明されている機能を行うモジュール(例えば、手続き、機能、等)により実施することができる。ソフトウェアコードは、メモリユニットに記憶され、プロセッサ1990および1950によって実行され得る。
【００５９】
本明細書に説明されている実施形態は、ハードウェア、ソフトウェア、ファームウェア、ミドルウェア、マイクロコード、またはその任意の組合せによって実施され得ると理解される。システムおよび／または方法は、ソフトウェア、ファームウェア、ミドルウェア、あるいはマイクロコード、プログラムコード、またはコードセグメントにおいて実施されるとき、それらは、記憶構成要素のような機械読出し可能媒体に記憶され得る。コードセグメントは、手続き、機能、サブプログラム、プログラム、ルーチン、サブルーチン、モジュール、ソフトウェアパッケージ、クラス、あるいは命令、データ構造、またはプログラム文の任意の組合せを表わし得る。コードセグメントは、情報、データ、引き数、パラメータ、またはメモリの内容を渡すこと（passing）および／または受信することによって、別のコードセグメントまたはハードウェア回路に連結され得る。情報、引き数、パラメータ、データ、等は、任意の適切な手段を使用して、メモリ共有、メッセージを渡すこと、トークンを渡すこと、ネットワーク送信、等を含めて、渡され、転送され、または送信され得る。
【００６０】
ソフトウェアの実施では、本明細書に説明されている技術は、本明細書に説明されている機能を行うモジュール(例えば、手続き、機能、等)を用いて実施され得る。ソフトウェアコードは、メモリユニットに記憶され、プロセッサによって実行され得る。メモリユニットは、プロセッサ内で実施されても、またはプロセッサの外部で実施されてもよく、その場合には、これは当技術において知られている様々な手段によってプロセッサに通信可能に連結されることができる。
【００６１】
上述で説明されたことは、１つまたは複数の実施形態の例を含む。当然ながら、上述の実施形態を説明するために、構成要素または方法の考えられる全ての組合せを説明することは不可能であるが、当業者は、様々な実施形態の多くのさらなる組合せおよび置換が可能であると理解するであろう。したがって、説明された実施形態は、本発明の請求項の範囲内に入る変形、変更、およびバリエーションの全てを包含することを意図されている。さらに、“含む（include）”という用語が詳細な説明または請求項において使用されている範囲において、“備える（comprising）”という用語が請求項において移行語（transitional word）として使用されるときに解釈されるように、このような用語（include）は“備える（comprising）”という用語と同様に包含すること（inclusive）を意図している。
【００６２】
参照Ａは、本明細書に説明されている態様に関係する提示であり、この参照は、本明細書の一部を形成している。
【図面の簡単な説明】
【００６３】
【図１】１つの実施形態にしたがう、多元接続無線通信システムを示す図。
【図２】例示的な通信システムのブロック図。
【図３】無線通信環境において適切なデータパケット復調方式の選択を実行する例示的なシステムを示す図。
【図４】無線通信環境において適切なデータパケット復調方式の選択を実行する別の例示的なシステムを示す図。
【図５】無線通信環境において適切なデータパケット復調方式の選択を実行する別の例示的なシステムを示す図。
【図６】リンク スループット シミュレーションの数値および資源配分を示したテーブル。
【図７】リンク スループット シミュレーションの数値および資源配分を示した別のテーブル。
【図８】ＭＩＭＯシステムにおける複数のアンテナの各々の適応変調および符号化に使用される変調および符号化方式(Modulation and Coding Scheme, MCS)のフォーマットテーブルを示したテーブル。
【図９】様々な受信機−復調器方式を用いたスループットの性能を比較する例示的なプロット。
【図１０】様々な受信機−復調器方式を用いたスループットの性能を比較する例示的なプロット。
【図１１】様々な受信機−復調器方式を用いたスループットの性能を比較する例示的なプロット。
【図１２】様々な受信機−復調器方式を用いたスループットの性能を比較する例示的なプロット。
【図１３】データ送信に最も頻繁に用いられている変調および符号化方式を示したテーブル。
【図１４】データパケット送信フォーマットにしたがって受信データパケットの復調を助ける例示的な方法を示す図。
【図１５】データパケット送信フォーマットにしたがって受信データパケットの復調を助ける別の例示的な方法を示す図。
【図１６】データパケット送信フォーマットにしたがって受信データパケットの復調を助けるシステムのブロック図。
【図１７】本明細書に提示された１つ以上の態様にしたがって他のセクタ通信を与えるシステム。
【図１８】本明細書に提示された１つ以上の態様にしたがう、端末の非サービングセクタにおいて逆方向リンク通信の処理を行うシステムを示す図。
【図１９】本明細書に説明されている様々なシステムおよび方法と共に使用することができる無線通信環境を示す図。
【符号の説明】
【００６４】
100・・・アクセスポイント、104,106,108,110,112,114・・・アンテナグループ、116,122・・・アクセス端末、118,124・・・逆方向リンク、120,126・・・順方向リンク、200・・・ＭＩＭＯシステム、210・・・送信機システム、250・・・受信機システム、300・・・最適な復調器の選択を行うシステム、400,500・・・システム、1400,1500・・・無線通信システムにおいて変調された信号の復調を助ける方法、1600・・・最適な復調器の選択を助けるシステム、1800・・・通信環境における他のセクタ通信を助けるシステム、1900・・・無線通信システム、1905・・・アクセスポイント、1930・・・端末。
【図１】
2009524378.tif 000003
【図２】
2009524378.tif 000004
【図３】
2009524378.tif 000005
【図４】
2009524378.tif 000006
【図５】
2009524378.tif 000007
【図６】
2009524378.tif 000008
【図７】
2009524378.tif 000009
【図８】
2009524378.tif 000010
【図９】
2009524378.tif 000011
【図１０】
2009524378.tif 000012
【図１１】
2009524378.tif 000013
【図１２】
2009524378.tif 000014
【図１３】
2009524378.tif 000015
【図１４】
2009524378.tif 000016
【図１５】
2009524378.tif 000017
【図１６】
2009524378.tif 000018
【図１７】
2009524378.tif 000019
【図１８】
2009524378.tif 000020
【図１９】
2009524378.tif 000021
【国際調査報告】
2009524378.tif 000022
2009524378.tif 000023
2009524378.tif 000024
2009524378.tif 000025
2009524378.tif 000026
2009524378.tif 000027
2009524378.tif 000028
2009524378.tif 000029